(57)【要約】【課題】簡単な構成でありながら、通常時には１枚の扉として開口部を開閉し、差圧発生時には第１扉体のみの開放を可能として差圧を緩和できるドア装置を提供する。【解決手段】第２扉体３の戸尻側はドア枠１の戸尻側に回動可能に装着されており、第１扉体２は第２扉体３に回動可能に装着されており、閉鎖姿勢にある第１扉体２を第２扉体３に連結する連結装置を備え、前記連結装置は、通常時にはロック状態にあって、第１扉体２と第２扉体３が一体で回動可能となっており、火災時等の非常時に生成される信号に基づいてロック状態が解除されて、第２扉体３に対する第１扉体２の回動を許容し、開口部全閉姿勢からの扉の開放初動時に、扉開放の抵抗となる差圧が発生している場合に第１扉体２のみが回動可能となる。【選択図】図６
2020070542.tif 000002
【特許請求の範囲】
【請求項１】
ドア枠により形成された開口部を開閉する扉を、戸先側に位置する第１扉体と戸尻側に位置する第２扉体から構成してなるドア装置において、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
第１扉体に設けた第１要素と第２扉体に設けた第２要素からなり、閉鎖姿勢にある第１扉体を第２扉体に連結する連結装置を備え、
前記連結装置は、通常時にはロック状態にあって、第２扉体に対する第１扉体の回動を規制して、第１扉体と第２扉体が一体で回動可能となっており、
前記連結装置は、火災時等の非常時に生成される信号に基づいてロック状態が解除されて、第２扉体に対する第１扉体の回動を許容し、開口部全閉姿勢からの扉の開放初動時に、扉開放の抵抗となる差圧が発生している場合に、第１扉体のみが回動可能となっている、
ドア装置。
【請求項２】
第１扉体の閉鎖姿勢時に、第１扉体の第１見込面と第２扉体の第２見込面が近接対向するようになっており、
前記第１要素と前記第２要素は、第１扉体の閉鎖姿勢時に対向するように、前記第１要素が前記第１見込面あるいは第１見込面近傍の第１扉体の見付面に、前記第２要素が前記第２見込面あるいは第２見込面近傍の第２扉体の見付面に、それぞれ設けてある、
請求項１に記載のドア装置。
【請求項３】
前記連結装置は、前記信号に基づいて、ロック状態が電気的に解除されるように構成されている、
請求項１、２いずれか１項に記載のドア装置。
【請求項４】
前記第２扉体は、前記連結装置の前記第２要素に電流を供給する手段を備えており、
前記第２要素への通電、あるいは、電流供給の遮断によって当該第２要素が作動して、前記連結装置がロック状態となる、
請求項３に記載のドア装置。
【請求項５】
前記第１要素と前記第２要素の組み合わせは、電気ストライクとラッチ錠の組み合わせ、モータ錠とストライクの組み合わせ、電磁石と磁性体の組み合わせから選択される、
請求項３、４いずれか１項に記載のドア装置。
【発明の詳細な説明】
【技術分野】
【０００１】
本発明は、ドア装置に係り、詳しくは、開口部全閉状態において扉によって仕切られる第１空間と第２空間との間に気圧差が生じた場合において、第１空間と第２空間の差圧を緩和し、扉の開放力を軽減することを可能とする差圧緩和機構を備えたドア装置に関するものである。
【背景技術】
【０００２】
火災時に隣接室との間に圧力差を生じさせることで煙の侵入を防止する排煙設備や加圧防排煙設備等の煙制御手段を備える建物においては、開口部全閉状態の扉の内外に圧力差が生じる場合があり、この圧力差が扉の開放に対する抵抗となって扉の開放力が重くなると、避難及び消防活動に支障を生じるおそれがある。
【０００３】
この対策として、扉を吊元扉と戸先扉に２分割し、面積の小さい戸先扉を先に開放することによって、第１空間と第２空間の圧力差を緩和して扉の開放力を軽減する差圧緩和機構が提案されている（特許文献１）。
【０００４】
特許文献１に開示された差圧緩和機構は、ドアクローザの閉扉力、ラッチ解除に必要な力、ヒンジクローザの閉扉力の力加減によって目的を達成するものであり、また、気圧差により扉に作用する荷重は現場によっても異なり得ることから、ドア装置に作用する各種の力関係の複雑な調整が必要となる。また、吊元扉と戸先扉は通常時（圧力差が発生していない状態）には、ラッチ機構（ローラー締りやマグネットキャッチ類）によって吊元扉と戸先扉を連結することで１枚扉として開閉操作可能となっているが、いたずらや急開放操作といったラッチ機構の保持力を超えるような力で強制的に扉を開放させようとすると、吊元扉に対して戸先扉が不意に折れるように開放されるおそれがあった。
【特許文献１】特許第５５３５３４８号
【発明の開示】
【発明が解決しようとする課題】
【０００５】
本発明は、扉を第１扉体と第２扉体から構成してなる差圧緩和機構を備えたドア装置において、簡単な構成でありながら、通常時には１枚の扉として開口部を開閉し、差圧発生時には第１扉体のみの開放を可能として差圧を緩和できるドア装置を提供することを目的とする。
【課題を解決するための手段】
【０００６】
かかる課題を解決するべく本発明が採用した技術手段は、
ドア枠により形成された開口部を開閉する扉を、戸先側に位置する第１扉体と戸尻側に位置する第２扉体から構成してなるドア装置において、
第１扉体の戸先側はドア枠の戸先側に係脱可能となっており、
第２扉体の戸尻側はドア枠の戸尻側に回動可能に装着されており、
第１扉体は第２扉体に回動可能に装着されており、
第１扉体に設けた第１要素と第２扉体に設けた第２要素からなり、閉鎖姿勢にある第１扉体を第２扉体に連結する連結装置を備え、
前記連結装置は、通常時にはロック状態にあって、第２扉体に対する第１扉体の回動を規制して、第１扉体と第２扉体が一体で回動可能となっており、
前記連結装置は、火災時等の非常時に生成される信号に基づいてロック状態が解除されて、第２扉体に対する第１扉体の回動を許容し、開口部全閉姿勢からの扉の開放初動時に、扉開放の抵抗となる差圧が発生している場合に、第１扉体のみが回動可能となっている、
ドア装置、である。
【０００７】
１つの態様では、第１扉体は、閉鎖方向（第２扉体に対する閉鎖姿勢を維持する方向）に付勢されている。
１つの態様では、第２扉体は、閉鎖方向に付勢されている。
１つの態様では、第１扉体は第１の閉鎖力で付勢されており、第２扉体は第２の閉鎖力で付勢されており、第２の閉鎖力は第１の閉鎖力よりも大きい。
【０００８】
１つの態様では、第１扉体の閉鎖姿勢時に、第１扉体の第１見込面と第２扉体の第２見込面が近接対向するようになっており、
前記第１要素と前記第２要素は、第１扉体の閉鎖姿勢時に対向するように、前記第１要素が前記第１見込面あるいは第１見込面近傍の第１扉体の見付面に、前記第２要素が前記第２見込面あるいは第２見込面近傍の第２扉体の見付面に、それぞれ設けてある。
１つの態様では、前記第１見込面及び前記第２見込面は、高さ方向に延びる見込面である。
なお、前記第１見込面及び前記第２見込面は、水平方向に延びる見込面でもよい。
【０００９】
１つの態様では、前記連結装置は、前記信号に基づいて、ロック状態が電気的に解除されるように構成されている。
より具体的な態様では、前記連結装置は、前記信号に基づく通電、あるいは、電流供給の遮断によって連結状態が解除されるように構成されている。
【００１０】
１つの態様では、前記第２扉体は、前記連結装置の前記第２要素に電流を供給する手段を備えており、
前記第２要素への通電、あるいは、電流供給の遮断によって当該第２要素が作動して、前記連結装置がロック状態となる。
【００１１】
１つの態様では、前記第１要素と前記第２要素の組み合わせは、電気ストライクとラッチ錠の組み合わせ、モータ錠とストライクの組み合わせ、電磁石と磁性体の組み合わせから選択される。
【発明の効果】
【００１２】
本発明では、通常時にはロック状態にあり、火災時等の非常時に生成される信号に基づいてロック状態が解除される連結装置を用いて、閉鎖姿勢にある第１扉体を第２扉体に固定することによって、通常時には、第１扉体と第２扉体が一体となって１枚の扉として利用可能であり、非常時には、第１扉体のみの回動を許容して、扉開放の抵抗となる差圧を解消し、扉の円滑な開放操作を可能とする。
【００１３】
連結装置は、通常時にはロック状態にあって、第１扉体と第２扉体を固定し、第２扉体に対する第１扉体の回動を規制するので、連結装置のロック状態が解除されない限り、いたずらや急開放操作等によって比較的大きな力で扉を開放しようとしても、通常時には、第１扉体と第２扉体が一体となって１枚の扉として回動するため、操作性が良好である。また、連結装置のロック状態は、火災時等の非常時に生成される信号に基づいて解錠されるため、ドア装置に作用する各種の力関係の複雑な調整を必要としない。
【図面の簡単な説明】
【００１４】
【図１】本実施形態に係るドア装置（開口部全閉状態）を第１空間側から見た正面図である。
【図２】本実施形態に係るドア装置（開口部全閉状態）を第２空間側から見た正面図である。
【図３】（Ａ）は、図１のＡ―Ａ線縦断面図、（Ｂ）は、図１のＢ−Ｂ線縦断面図である。
【図４】図１の横断面図であり、連結装置の第１実施形態を示している。
【図５】図４の開口部全閉状態から第１扉体と第２扉体が一体で開放した状態を示す横断面図である。
【図６】図４の開口部全閉状態から第１扉体のみが開放した状態を示す横断面図である。
【図７】図６と類似の図であって、連結装置の第２実施形態を示し、開口部全閉状態から第１扉体のみが開放した状態を示す横断面図である。
【図８】図６と類似の図であって、連結装置の第３実施形態を示し、開口部全閉状態から第１扉体のみが開放した状態を示す横断面図である。
【図９】図６と類似の図であって、連結装置の第４実施形態を示し、開口部全閉状態から第１扉体のみが開放した状態を示す横断面図である。
【図１０】ドア装置（開口部全閉状態）を第１空間側から見た正面図であり、第１扉体、第２扉体の形状の第１変形例を示している。
【図１１】ドア装置（開口部全閉状態）を第１空間側から見た正面図でああり、第１扉体、第２扉体の形状の第２変形例を示している。
【図１２】目板部の構成を示す斜視図である。
【図１３】火災発生時の連結装置のロック解除を示すフロー図である。
【発明を実施するための形態】
【００１５】
［Ａ］ドア装置の全体構成
本実施形態に係るドア装置は、第１空間と第２空間とを区画する躯体に設けられた開口部に設置される。ドア装置が設置される建物は、火災時に隣接室との間に圧力差を生じさせることで煙の侵入を防止する排煙設備や加圧防排煙設備等の煙制御手段を備えており、開口部全閉状態において、第１空間の圧力が第２空間の圧力よりも大きくなる場合がある。すなわち、本実施形態では、開口部全閉状態において、通常時には、第１空間と第２空間の気圧は略同じであるが、火災時等の非常時には、煙制御手段によって第１空間が第２空間に比べて高圧となる。本実施形態に係るドア装置は、差圧緩和機構を備えることで、第１空間と第２空間で気圧差が発生した場合であっても、扉の開放を円滑に行うことを可能とする。
【００１６】
図１は、本実施形態に係るドア装置を第１空間側から見た正面図、図２は同ドア装置を第２空間側から見た正面図であって、本実施形態に係るドア装置において、ドア枠１により形成された開口部を開閉する扉は、戸先側に位置する（戸先側がドア枠１の戸先側に係脱可能となっている）第１扉体（戸先側扉体）２と戸尻側に位置する（戸尻側がドア枠１の戸尻側に回動可能に装着されている）第２扉体（戸尻側扉体）３から構成されており、第１扉体２は第２扉体３に対して回動可能に装着されており、第２扉体３はドア枠１に対して回動可能に装着されている。本実施形態に係る扉（第１扉体２、第２扉体３）は、開口部全閉姿勢から第１空間側に回動することで、建物開口部を開放する開き戸である。
【００１７】
ドア枠１は、戸先側縦枠１０と、戸尻側縦枠１１と、上枠１２と、下枠１３と、から縦長方形状を有しており、縦長方形状の開口部を形成している。第１扉体２と第２扉体３は、第１扉体２が第２扉体３に対して閉鎖姿勢となって一体となった状態で縦長方形状の扉を形成し、上記縦長方形状の開口部を閉鎖する（図１、図２参照）。
【００１８】
第１扉体２は、正面視縦長方形状を有し、第１空間に面する第１見付面２０、第２空間に面する第２見付面２１、戸先側端面２２、戸尻側端面２３、上端面２４、下端部２５を備えている。第１扉体２の高さ寸法及び幅寸法は、ドア枠１により形成される開口部の高さ寸法及び幅寸法よりも小さい。したがって、第１扉体２の第１見付面２０の面積は、扉全体の第１見付面（第１見付面２０＋第１見付面３０）の面積に比べて小さく、開口部全閉状態において、第１空間側の気圧が高くなった時に、第１扉体２の第１見付面２０に作用する力は、扉全体の第１見付面（第１見付面２０＋第１見付面３０）に作用する力よりも小さい。
【００１９】
第２扉体３は、正面視において、上側部位３Ａ、下側部位３Ｂ、戸尻側部位３Ｃからコ字形状を有しており、第１空間に面する第１見付面３０、第２空間に面する第２見付面３１、上側部位３Ａの戸先側端面３２、上側部位３Ａの上端面３３、上側部位３Ａの下端面３４、下側部位３Ｂの戸先側端面３５、下側部位３Ｂの下端面３６、下側部位３Ｂの上端面３７、戸尻側部位３Ｃの戸尻側端面３８、戸尻側部位の戸先側端面３９、を備えている。
【００２０】
第２扉体３の上側部位３Ａの戸先側端面３２、下側部位３Ｂの戸先側端面３５が第２扉体３の戸先側端面を、戸尻側部位３Ｃの戸尻側端面３８が第２扉体３の戸尻側端面を、上側部位３Ａの上端面３３が第２扉体３の上端面を、下側部位３Ｂの下端面３６が第２扉体３の下端面を形成している。
【００２１】
本実施形態では、上側部位３Ａ、下側部位３Ｂの幅寸法は、ドア枠１により形成される開口部の幅寸法と略同じであり（具体的には、戸先側縦枠１０の見込面１００、戸尻側縦枠１１の見込面１１０間の距離よりも僅かに小さい）、戸尻側部位３Ｃの高さ寸法は、ドア枠１により形成される開口部の高さ寸法と略同じである（具体的には、上枠１２の１２０の下面、下枠１３の上面１３０間の距離よりも僅かに小さい）。
【００２２】
第２扉体３の戸尻側部位（本実施形態では戸尻側端面３８）は、ドア枠１の戸尻側部位（本実施形態では戸尻側縦枠１１）に丁番１４によって回動可能に装着されている。第２扉体３は、戸尻側部位３Ｃの上端部位とドア枠１の上枠１２の戸尻側部位間に設けたドアクローザ１５によって、ドア枠１に対して閉鎖方向に付勢されている。図示の態様では、第２扉体３の戸尻側部位は戸先側縦枠１１に装着されているが、例えば、第２扉体３を、ピボットヒンジを用いて上枠１２および下枠１３の戸尻側部位に回動可能に装着してもよい。
【００２３】
第２扉体３において、上側部位３Ａの下端面３４、下側部位３Ｂの上端面３７、戸尻側部位３Ｃの戸先側端面３９から正面視長方形状の開口４（図６参照）が形成されている。第１扉体２の高さ寸法、幅寸法は、開口４の高さ寸法、幅寸法と略同じであり、第１扉体２は、第２扉体３の開口４を開閉可能なように第２扉体３に回動可能に装着されており、第１扉体２が第２扉体３に対して閉鎖姿勢となることで、第１扉体２と第２扉体３が一体となって一枚の扉を形成するようになっている。第２扉体３に対して第１扉体２が閉鎖姿勢にある時には、第１扉体２の戸先側端面２２、第２扉体３の上側部位３Ａ及び下側部位３Ｂの戸先側端面３２、３５が、扉の戸先側端面となり、第２扉体３の上端面３３、下端面３６、戸尻側端面３８が、扉の上端面、下端面、戸尻側端面となっている。
【００２４】
第１扉体２が第２扉体３に対して閉鎖姿勢にある時には、第１扉体２の周面（戸尻側端面２３、上端面２４、下端面２５）と開口４の周面（第２扉体３の戸尻側部位３Ｃの戸先側端面３９、第２扉体３の上側部位３Ａの下端面３４、第２扉体３の下端部位３Ｂの上端面３７）は、それぞれ、近接対向しており、第１扉体２の戸先側端面２２と、第２扉体３の戸先側端面３２、３５が同一垂直面上に位置している。本実施形態では、第１扉体２と第２扉体３の扉厚（見込寸法）は同じであるが、扉厚を異ならしめてもよい。
【００２５】
第１扉体２の第１見付面２０及び第２見付面２１の戸先側部位には、高さ方向の中間部位に位置してハンドルＨが設けてある。第１扉体２の戸先側部位にはラッチＬ１が内蔵されており、ラッチは戸先側端面２２から突出した係止姿勢と、戸先側端面２２内に退避した退避姿勢との間で移動可能である。ラッチＬ１は係止姿勢を保つように付勢されており、第１扉体２の閉鎖姿勢時には、ドア枠１の戸先側縦枠１０の見込面１００に形成されたラッチ受け１０００にラッチＬ１が係止することで、第１扉体２の閉鎖姿勢が維持される（図４参照）。ハンドルＨの操作によって、係止姿勢にあるラッチＬ１を退避姿勢とすることで、第１扉体２の戸先側の係止状態が解除され、第１扉体２の開放が可能となる。第１扉体２と第２扉体３が連結されて一体化さている場合には、ハンドルＨの操作でラッチＬ１の係止状態を解除させて、扉（第１扉体２＋第２扉体３）を開放させることができる。
【００２６】
第１扉体２の上端面２４、下端面２５の幅方向中央部位には、第１扉体２の回動支軸Ｐを提供するピボットヒンジ２６が設けてあり、第２扉体２は、上下のピボットヒンジ２６によって第２扉体３の上側部位３Ａの下端面３４、下側部位３Ｂの上端面３７に対して回動可能に装着されている。第１扉体２は、回動支軸Ｐを中心として、第２扉体３の開口４に回動可能に装着されている。本実施形態では、上下の回動支軸Ｐを通る鉛直線（回動軸芯）は、第１扉体２の幅の中央に位置しており、第１扉体２の回動支軸Ｐは、平面視において第１扉体２の厚さ内にあるが、回動支軸Ｐの位置は、これらに限定されない。例えば、回動支軸Ｐの位置は、第１扉体２の幅方向中央に対して偏倚していてもよい。
【００２７】
第１扉体２は第２扉体３に対する閉鎖姿勢を維持する方向（閉鎖方向）に付勢されている。本実施形態では、ピボットヒンジ２６は第１扉体２を閉鎖方向に付勢するスプリングを備えたオートヒンジであり、第１扉体２の閉鎖手段としても機能する。より具体的には、上下の少なくともいずれか一方のピボットヒンジ２６（例えば、下側のピボットヒンジ２６）には第１扉体２の閉鎖手段を構成するスプリングが内蔵されており、スプリングによって第１扉体２は閉鎖方向に付勢されている。本実施形態では、第１扉体２（ピボットヒンジ２６）の閉鎖力は、第２扉体３（ドアクローザ１５）の閉鎖力よりも小さく設定されている。本実施形態では、第１扉体２の閉鎖手段はピボットヒンジ２６に内蔵されているが、第１扉体２の回動部（ヒンジ）とは独立して閉鎖手段を設けてもよい。
【００２８】
［Ｂ］ドア装置の気密構造
ドア枠１は、閉鎖姿勢にある扉（第１扉体２、第２扉体３）の三方（戸先側部位、戸尻側部位、上側部位）の周縁部位が当接する戸当たり部を備えている。より具体的には、図４に示すように、戸先側縦枠１０において、閉鎖姿勢にある扉の戸先側端面（すなわち、第１扉体２の戸先側端面２２、第２扉体３の戸先側端面３２、３５）が近接対向する見込面１００の第２空間側には、第１空間に向かって開口する溝部が開口高方向に亘って形成されており、溝部には戸先側気密部材（気密ゴム）Ｓが設けてある。
【００２９】
戸尻側縦枠１１において、閉鎖姿勢にある第２扉体３の戸尻側端面３８が近接対向する見込面１１０の第２空間側には、第１空間に向かって開口する溝部が開口高方向に亘って形成されており、溝部には戸尻側気密部材（気密ゴム）Ｓが設けてある。
【００３０】
図３に示すように、上枠１２において、閉鎖姿勢にある第２扉体３の上端面３３が近接対向する下面１２０の第２空間側には、第１空間に向かって開口する溝部が開口幅方向に亘って形成されており、溝部には上側気密部材（気密ゴム）Ｓが設けてある。
【００３１】
開口部閉鎖時において、扉の三方（戸先側、戸尻側、上側）の周縁、具体的には、第１扉体２の第２見付面２１及び第２扉体の第２見付面３１の戸先側部位、第２扉体３の第２見付面３１の戸尻側部位、第２扉体３の上側部位が、戸先側気密ゴムＳ、戸尻側気密ゴムＳ、上側気密ゴムＳに密着する。
【００３２】
第２扉体３の下方部位には、扉が全閉姿勢となった時に、第２扉体３の下端部３６を越えて下方に突出する気密部材Ｓが設けてあり、開口部閉鎖時において、第２扉体３の下端部３６から下方に突出する気密部材Ｓが、下枠１３の上面１３０に密着するようになっている（図３参照）。したがって、開口部全閉時には、開口部の四周に亘って気密構造が形成される。
【００３３】
扉の第２見付面（第２見付面２１、第２見付面３１）には、第１扉体２が第２扉体３に対して閉鎖姿勢となって開口４を閉鎖した時に、開口４の四周縁の三方（戸尻側縁、上側縁、下側縁）に沿って延びるように周縁枠が設けてある。周縁枠は、第１扉体２に設けた周縁枠（垂直枠５０、上側水平枠５１、下側水平枠５２）と、第２扉体３に設けた周縁枠（上側水平枠５３、下側水平枠５４）と、からなる（図２、図３参照）。
【００３４】
第１扉体２は、回動支軸Ｐを通る垂直線（回動軸芯）を挟んで、戸先側の第１部分と戸尻側の第２部分とからなる。第１扉体２には、戸尻側の第２部分の第２見付面２１の周縁に沿って周縁枠が設けてあり、第１扉体２側の周縁枠は、戸尻側端面２３に沿って垂直に延びる垂直枠５０と、上端面２４に沿って水平に延びる上側水平枠５１と、下端面２５に沿って水平に延びる下側水平枠５２と、から平面視コ字形状に形成されている。
【００３５】
第１扉体２側の周縁枠（垂直枠５０、上側水平枠５１、下側水平枠５２）は、第１扉体２の戸尻側端面２３、上端面２４、下端面２５に沿う長手方向と長手方向に直交する短手方向を備え、短手方向において内側部分（図４における垂直枠５０においては左側半部、図３における上側水平枠５１においては下側半部、図３における下側水平枠５２においては上側半部）と外側部分（図４における垂直枠５０においては右側半部、図３における上側水平枠５１においては上側半部、図３における下側水平枠５２においては下側半部）に分けられ、上記内側部分において第１扉体２の第２見付面２１に固定されており、幅方向の外側部分が第１扉体２の周縁（戸尻側端面２３、上端面２４、下端面２５）から突出している。
【００３６】
第２扉体３には、閉鎖姿勢の第１扉体２の第１部分に対応して、上側部位３Ａの下端面３４に沿って水平に延びる上側水平枠５３と、下側部位３Ｂの上端面３７に沿って水平に延びる下側水平枠５４が設けてある。
【００３７】
第２扉体３側の周縁枠（上側水平枠５３、下側水平枠５４）は、下端面３４、上端面３７に沿う長手方向と長手方向に直交する短手方向を備え、短手方向において内側部分（図３における上側水平枠５３においては上側半部、図３における下側水平枠５４においては下側半部）と外側部分（図３における上側水平枠５３においては下側半部、図３における下側水平枠５４においては上側半部）に分けられ、上記内側部分において第２扉体３の第２見付面３１に固定されており、幅方向の外側部分が第２扉体３の周縁（下端面３４、上端面３７）から突出している。
【００３８】
第１扉体２の周縁枠（垂直枠５０、上側水平枠５１、下側水平枠５２）の上記外側部分はポケット部を形成しており、ポケット部には、垂直枠５０、上側水平枠５１、下側水平枠５２の長さ方向に亘って三方状に気密部材としての気密ゴムＳ１が装着されている（図３（Ｂ）、図４参照）。
【００３９】
第２扉体３の周縁枠（上側水平枠５３、下側水平枠５４）の上記外側部分はポケット部を形成しており、ポケット部には、上側水平枠５３、下側水平枠５４の長さ方向に亘って気密部材としての気密ゴムＳ２が装着されている（図３（Ａ）参照）。
【００４０】
回動支軸Ｐを中心とした第１扉体２の回動の妨げとならないように、第１扉体２が閉鎖姿勢にある時に、上側水平枠５１の端部と上側水平枠５３の端部は離間し、気密ゴムＳ１の端部と気密ゴムＳ２の端部は離間しており、同様に、下側水平枠５２の端部と下側水平枠５４の端部は離間し、気密ゴムＳ１の端部と気密ゴムＳ２の端部は離間している。第１扉体２が閉鎖姿勢にある時に、上側水平枠５１の端部と上側水平枠５３の端部に跨るように上側の目板部５５が設けられ、下側水平枠５２の端部と下側水平枠５４の端部に跨るように下側の目板部５５が設けられる（図２参照）。第１扉体２が閉鎖姿勢にある時に、目板部５５によってあいじゃくり構造が形成される。
【００４１】
本実施形態では、上側の目板部５５は上側水平枠５３の先端に設けられ、下側の目板部５５は下側水平枠５４の先端に設けられる。図１２に示すように、上側の目板部５５の幅方向中間部位には、気密部材としての気密ゴムＳ３が設けてあり、第１扉体２が閉鎖姿勢にある時に、気密ゴムＳ３が気密ゴムＳ１、Ｓ２間の隙間を塞ぐようになっている。下側の目板部５５の基本的な構成は、上側の目板部５５と同じである。
【００４２】
戸先側縦枠１０の第２空間に面する見込面１０１の上下の所定高さ位置には塞ぎプレート５６が見込面１０１から突出するように固定されている（図２、図３（Ａ）参照）。より具体的には、第１扉体２及び第２扉体３が閉鎖姿勢にある時に、第１扉体２の戸先側端面２２の上端と第２扉体３の戸先側端面３２の下端に跨るように位置して上側の塞ぎプレート５６が設けてあり、第１扉体２の戸先側端面２２の下端と第２扉体３の戸先側端面３５の上端に跨るように位置して下側の塞ぎプレート５６が設けてあり、開口部全閉状態において、塞ぎプレート５６によって、第１扉体２の戸先側端面２２と第２扉体３の戸先側端面３２、３５の境界に位置してあいじゃくり構造が形成される。
【００４３】
［Ｃ］連結装置
ドア装置は、閉鎖姿勢にある第１扉体２と第２扉体３を連結するための連結装置を備えている。上述のように、第１扉体２は第２扉体３に対して閉鎖姿勢を維持する方向に付勢されているが、連結装置がロック状態となることで、第２扉体３に対する第１扉体２の閉鎖姿勢が固定され、第２扉体３に対する第１扉体２の回動が規制される。通常時には、連結装置はロック状態にあり、第１扉体２は閉鎖姿勢で第２扉体３に固定されており、第１扉体２と第２扉体３は１枚の扉として一体で回動する。
【００４４】
連結装置は、火災時等の非常時に生成される信号に基づいてロック状態が解除されるように構成されており、ロック状態が解除されると（すなわち、第２扉体３に対する第１扉体２の固定状態が解除されると）、第２扉体３に対して第１扉体２の回動が可能となる。連結装置のロック状態が解除されると、開口部全閉姿勢からの扉の開放初動時に、第１扉体２のみが回動可能となる。
【００４５】
連結装置は、第１扉体２に設けた第１要素と第２扉体３に設けた第２要素からなり、第１要素と第２要素が固定されることで連結装置はロック状態となる。第１要素と第２要素は、第１扉体が第２扉体３に対して閉鎖姿勢にある時に互いに対向するように、第１扉体２、第２扉体３の所定部位にそれぞれ設けられる。
【００４６】
第１扉体２が第２扉体３に対して閉鎖姿勢にある時には、第１扉体２の見込面（戸尻側端面２３、上端面２４、下端面２５）と開口４の周面、すなわち、第２扉体３の見込面（戸尻側部位３Ｃの戸先側端面３９、上側部位３Ａの下端面３４、下端部位３Ｂの上端面３７）は近接対向しており、近接対向する部位あるいはかかる部位の近傍に第１要素、第２要素がそれぞれ設けられる。
【００４７】
１つの態様では、少なくとも１つの第１要素が、第１扉体２の見込面（第１扉体２の戸尻側端面２３、上端面２４、下端面２５）の少なくも１つの面の所定位置に設けられ、少なくとも１つの第２要素が、第２扉体３の見込面（第２扉体３の戸尻側部位３Ｃの戸先側端面３９、上側部位３Ａの下端面３４、下端部位３Ｂの上端面３７）の少なくとも１つの面の所定位置に設けられ、第１要素と第２要素は、第１扉体２が第２扉体３に対して閉鎖姿勢にある時に対向するような位置関係にある。
【００４８】
他の態様では、少なくとも１つの第１要素が、第１扉体２の見込面（第１扉体２の戸尻側端面２３、上端面２４、下端面２５）近傍の第２見付面２１の所定位置に設けられ、少なくとも１つの第２要素が、第２扉体３の見込面（第２扉体３の戸尻側部位３Ｃの戸先側端面３９、上側部位３Ａの下端面３４、下端部位３Ｂの上端面３７）近傍の第２見付面３１の所定位置に設けられ、第１要素と第２要素は、第１扉体２が第２扉体３に対して閉鎖姿勢にある時に対向するような位置関係にある。
【００４９】
通常時には、連結装置の第１要素と第２要素は固定されており、連結装置はロック状態にあり、火災検知信号の入力に基づいて連結装置のロック状態を解除して、第２扉体３に対する第１扉体２の回動を許容する。扉の面部（第１扉体２の第１見付面２０、第２扉体３の第１見付面３０）に所定以上の圧力が作用している場合には、第１扉体２のみが開放されて、第１空間と第２空間の気圧差を解消することで、扉の円滑な開放を可能となっており、本実施形態に係るドア装置は、差圧緩和機構を備えている。なお、扉の面部に作用する圧力によっては、連結装置のロックが解除された状態（第２扉体３に対して第１扉体２が回動可能な状態）であっても、第１扉体２（閉鎖姿勢を維持する方向に付勢されている）と第２扉体３が一体で開放する場合もあり得る点に留意されたい。
【００５０】
本実施形態では、連結装置は電気錠から構成されており、第１要素と第２要素の少なくとも一方の要素が電源に接続されており、当該要素への通電ないし通電の遮断（電源のＯＮないしＯＦＦ）は制御部によって実行される。第１要素と第２要素の組み合わせは、例えば、電気ストライクとラッチ錠の組み合わせ、モータ錠とストライクの組み合わせ、電磁石と磁性体の組み合わせから選択される。以下、連結装置の第１実施形態〜第４実施形態について説明する。
【００５１】
［第１実施形態］
図４〜図６を参照しつつ、第１実施形態に係る連結装置を説明する。連結装置は、第１扉体２に設けたラッチ錠６と、第２扉体３に設けた電気ストライク７と、からなる。第１扉体２の戸尻側部位には所定高さに位置してラッチ錠６が内蔵されており、ラッチ錠６のラッチＬ２は戸尻側端面２３から突出するように付勢されている。本実施形態では、ラッチ錠６は、シリンダ、サムターン、ハンドルを備えていない。
【００５２】
第２扉体３の戸尻側部位３Ｃの戸先側端面３９には所定高さに位置して電気ストライク７が設けてあり、電気ストライク７には、第２扉体３内部を延びる電線８の一端が接続されており、電線８の他端側は、第２扉体３の戸尻側部位に設けた通電金具９、ドア枠１の戸尻側縦枠１１に設けた通電金具９´を通って躯体へと延びており、電源（図示せず）に接続されている。ラッチ錠６と電気ストライク７からなる連結装置は、火災検知信号が制御部に入力されることで、電気的に施錠状態（ロック状態）から解錠状態（ロック解除状態）に切り替わるようになっている。
【００５３】
１つの態様では、ラッチ錠６と電気ストライク７からなる連結装置は、停電時解錠タイプ（通電時施錠タイプ）として作動する。通常時には、電気ストライク７は通電状態にあり、ラッチ錠６のラッチＬ２と電気ストライク７が固定されてロック状態にあり、第２扉体３に対する第１扉体２の閉鎖姿勢が固定されており、第１扉体２と第２扉体３は一体で回動する（図５参照）。
【００５４】
非常時に制御部が火災検知信号を受信すると、電気ストライク７の解錠状態を維持する信号が入力されて電源がＯＦＦとなり、ラッチ錠６のラッチＬ２と電気ストライク７のロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする（図６参照）。
【００５５】
１つの態様では、ラッチ錠６と電気ストライク７からなる連結装置は、停電時施錠タイプ（通電時解錠タイプ）として作動する。通常時には、電気ストライク７に非通電状態にあり、ラッチ錠６のラッチＬ２と電気ストライク７が固定されてロック状態にあり、第２扉体３に対する第１扉体２の閉鎖姿勢が固定されており、第１扉体２と第２扉体３は一体で回動する（図５参照）。
【００５６】
非常時に制御部が火災検知信号を受信すると、電気ストライク７の解錠状態を維持する信号が入力されて電源がＯＮとなり、ラッチ錠６のラッチＬ２と電気ストライク７のロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする（図６参照）。
【００５７】
［第２実施形態］
図７を参照しつつ、第２実施形態に係る連結装置を説明する。連結装置は、第１扉体２に設けたストライク７´と、第２扉体３に設けたモータ錠６´と、からなる。第１扉体２の戸尻側端面２３には所定高さに位置してストライク７´が設けてあり、第２扉体３の戸先側部位にモータ錠６´が内蔵されており、モータ錠６´のラッチＬ２´は第２扉体３の戸先側端面３９から突出することで、ストライク７´に係止される。本実施形態では、モータ錠６´は、シリンダ、サムターンを備えていない。
【００５８】
モータ錠６´には、第２扉体３内部を延びる電線８の一端が接続されており、電線８の他端側は、第２扉体３の戸尻側部位に設けた通電金具９、ドア枠１の戸尻側縦枠１１に設けた通電金具９´を通って躯体へと延びており、電源（図示せず）に接続されている。モータ錠６´とストライク７´からなる連結装置は、火災検知信号が制御部に入力されることで、電気的に施錠状態（ロック状態）から解錠状態（ロック解除状態）に切り替わるようになっている。
【００５９】
１つの態様では、モータ錠６´とストライク７´からなる連結装置は、停電時解錠タイプ（通電時施錠タイプ）として作動する。通常時には、モータ錠６´は通電状態にあり、モータ錠６´のラッチＬ２´が突出姿勢となってストライク７´に係止してロック状態にあり、第２扉体３に対する第１扉体２の閉鎖姿勢が固定されており、第１扉体２と第２扉体３は一体で回動する。
【００６０】
非常時に制御部が火災検知信号を受信すると、モータ錠６´の解錠状態を維持する信号が入力されて電源がＯＦＦとなり、モータ錠６´のラッチＬ２´が収納姿勢となって、ストライク７´とのロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。
【００６１】
１つの態様では、モータ錠６´とストライク７´からなる連結装置は、停電時施錠タイプ（通電時解錠タイプ）として作動する。通常時には、モータ錠６´は非通電状態にあり、モータ錠６´のラッチＬ２´が突出姿勢となってストライク７´に係止してロック状態にあり、第２扉体３に対する第１扉体２の閉鎖姿勢が固定されており、第１扉体２と第２扉体３は一体で回動する。
【００６２】
非常時に制御部が火災検知信号を受信すると、モータ錠６´の解錠状態を維持する信号が入力されて電源がＯＮとなり、モータ錠６´のラッチＬ２´が収納姿勢となって、ストライク７´とのロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。
【００６３】
［第３実施形態］
図８を参照しつつ、第３実施形態に係る連結装置を説明する。連結装置は、第１扉体２に設けたストライクプレート１７と、第２扉体３に設けた電磁式ロック１６と、からなる。第１扉体２の第２見付面２１の戸尻側部位には所定高さに位置してストライク取付プレート５０´が設けてあり、ストライク取付プレート５０´は、第１扉体２の戸尻側端面２３を越えて突出しており、ストライク取付プレート５０´には磁性体からなるストライクプレート１７が設けてある。第１扉体２が第２扉体３に対して閉鎖姿勢にある時に、ストライクプレート１７は第２扉体３の第２見付面３１の所定部位に近接ないし接触するようになっている。なお、ストライク取付プレート５０´は、第１扉体２の周縁枠である垂直枠５０を利用して形成してもよい。
【００６４】
第２扉体３の戸先側部位には、電磁式ロック１６が内蔵されており、第１扉体２が第２扉体３に対して閉鎖姿勢にある時に、磁力によって第１扉体２のストライクプレート１７を第２扉体３の第２見付面３１に固定することでロック状態となる。電磁式ロック１６には、第２扉体３内部を延びる電線８の一端が接続されており、電線８の他端側は、第２扉体３の戸尻側部位に設けた通電金具９、ドア枠１の戸尻側縦枠１１に設けた通電金具９´を通って躯体へと延びており、電源（図示せず）に接続されている。電磁式ロック１６とストライクプレート１７からなる連結装置は、火災検知信号が制御部に入力されることで、電気的に施錠状態（ロック状態）から解錠状態（ロック解除状態）に切り替わるようになっている。
【００６５】
通常時には、電磁式ロック１６は通電状態にあって、第１扉体２のストライクプレート１７が磁力によって、第２扉体３の第２見付面３１に吸着されてロック状態にあり、第２扉体３に対する第１扉体２の閉鎖姿勢が固定されており、第１扉体２と第２扉体３は一体で回動する。
【００６６】
非常時に制御部が火災検知信号を受信すると、電磁式ロック１６の解錠状態を維持する信号が入力されて電源がＯＦＦとなり、電磁式ロック１６とストライクプレート１７とのロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。
【００６７】
［第４実施形態］
図９を参照しつつ、第４実施形態に係る連結装置を説明する。第４実施形態は第３実施形態の変形例である。連結装置は、第１扉体２に設けたストライクプレート１７と、第２扉体３に設けた電磁式ロック１６と、からなる。第１扉体２の戸尻側端面２３には所定高さに位置して磁性体からなるストライクプレート１７が設けてある。第１扉体２が第２扉体３に対して閉鎖姿勢にある時に、ストライクプレート１７は第２扉体３の戸先側端面３９の所定部位に近接ないし接触するようになっている。
【００６８】
第２扉体３の戸先側部位には、電磁式ロック１６が内蔵されており、第１扉体２が第２扉体３に対して閉鎖姿勢にある時に、磁力によって第１扉体２のストライクプレート１７を第２扉体３の戸先側端面３９に固定することでロック状態となる。電磁式ロック１６には、第２扉体３内部を延びる電線８の一端が接続されており、電線８の他端側は、第２扉体３の戸尻側部位に設けた通電金具９、ドア枠１の戸尻側縦枠１１に設けた通電金具９´を通って躯体へと延びており、電源（図示せず）に接続されている。電磁式ロック１６とストライクプレート１７からなる連結装置は、火災検知信号が制御部に入力されることで、電気的に施錠状態（ロック状態）から解錠状態（ロック解除状態）に切り替わるようになっている。
【００６９】
通常時には、電磁式ロック１６は通電状態にあって、第１扉体２のストライクプレート１７が磁力によって、第２扉体３の戸先側端面３９に吸着されてロック状態にあり、第２扉体３に対する第１扉体２の閉鎖姿勢が固定されており、第１扉体２と第２扉体３は一体で回動する。
【００７０】
非常時に制御部が火災検知信号を受信すると、電磁式ロック１６の解錠状態を維持する信号が入力されて電源がＯＦＦとなり、電磁式ロック１６とストライクプレート１７とのロック状態が解除され、閉鎖姿勢にある第２扉体３に対して第１扉体２の回動が可能となり、閉鎖姿勢にある第１扉体２が回動することで、第１空間と第２空間を連通して、第１空間と第２空間の差圧を解消して、扉の円滑な開放を可能とする。
【００７１】
［Ｄ］ドア装置の開放動作
本実施形態に係るドア装置の回動動作について説明する。図４は、閉鎖姿勢にあるドア装置の平面図であり、第１扉体２及び第２扉体３は共に閉鎖姿勢（すなわち、開口部全閉姿勢）にある。第１扉体２の戸先側端面２２から突出するラッチＬ１がドア枠１の戸先側縦枠１０の見込面１００に形成されたラッチ受け１０００に係止しており、ロック状態にある連結装置によって、第１扉体２及び第２扉体３は閉鎖姿勢が固定されている。
【００７２】
通常時には、第１空間と第２空間の気圧差は実質的にない。開口部全閉状態において、第１扉体２のハンドルＨを回すと、ハンドルＨの動作に連動して、突出したラッチＬ１が戸先側端面２２内に退避し、第１扉体２の戸先側端面２２のドア枠１の戸先側縦枠１０に対する係止状態が解除され、第１扉体２を第１空間側へ開放させることで、第１扉体２と第２扉体３が一体で、第１空間側へ開放して、開口部を開放する。第２扉体３に対する第１扉体２の閉鎖姿勢は連結装置によって固定されているので、第１扉体２を急開放操作した場合であっても、第２扉体３に対して第１扉体２が不意に折れ曲がるように回動することがなく、第１扉体２（第２扉体３に対する閉鎖姿勢が維持されている）と第２扉体３が一体で回動する。開放した扉を自由にすると、扉はドアクローザ１５の付勢力で一体で閉鎖して開口部全閉状態に戻り、第１扉体２の戸先側端面２２から突出するラッチＬ１がドア枠１の戸先側縦枠１０の見込面１００に形成したラッチ受け１０００に係止する。
【００７３】
火災発生時の連結装置のロック解除の流れを図１３に示す。火災時に、火災検知信号が入力されると、煙制御手段が作動して、第１空間が第２空間に比べて高圧となり、第１空間と第２空間との間に差圧が発生する。差圧によって、第１扉体２の第１見付面２０及び第２扉体３の第１見付面３０に圧力（図６に矢印で示す）が作用しており、この圧力は、扉の開放動作（第１空間側へ回動することで建物開口部を開放する）の抵抗となる。
【００７４】
火災検知信号が入力されると、連結装置への通電が遮断され、あるいは、連結装置へ通電することで、連結装置のロック状態が電気的に解除される。連結装置のロック状態が解除されることで、開口部全閉状態において、第２扉体３に対する第１扉体２の固定状態が解除され、第１扉体２のみの開放が可能な状態となる。
【００７５】
この状態において、第１扉体２のハンドルＨを回すと、ハンドルＨの動作に連動して、突出したラッチＬ１が戸先側端面２２内に退避し、第１扉体２の戸先側端面２２のドア枠１の戸先側縦枠１０に対する係止状態を解除し、第１扉体２の開放が可能となり、第１扉体２のみをある程度回動させることで、第１空間と第２空間を連通する。これによって、第１空間と第２空間との圧力差が小さくなることで、扉（第１扉体２＋第２扉体３）の第１空間側への回動が容易になり、また、第１空間と第２空間との圧力差が小さくなることで、第１扉体２が閉鎖方向の付勢力によって第２扉体３の開口４を閉鎖する方向に回動する。第１空間と第２空間との圧力差が実質的に無くなると、第１扉体２は閉鎖方向への付勢力によって第２扉体３に対して閉鎖姿勢となって、第１扉体２と第２扉体３は一体として回動する。開放した第１扉体２のハンドルＨから手を離して自由にすると、第１扉体２及び第２扉体３は、ドアクローザ１５の閉鎖力によって一体で閉鎖方向に回動して開口部全閉状態に戻り、第１扉体２の戸先側端面２２から突出するラッチＬ１がドア枠１の戸先側縦枠１０の見込面１００に形成したラッチ受け１０００に係止する。
【００７６】
本実施形態では、第１空間と第２空間の圧力差が解消された状態では、第１扉体２が閉鎖方向の付勢力によって第２扉体３に対して閉鎖姿勢を維持することで、第１扉体２（第２扉体３に対して閉鎖姿勢）と第２扉体３が一体で回動するようにしている。これに対して、第１扉体２が第２扉体３に対して所定角度回動した姿勢で、第１扉体２と第２扉体３が一体で回動するものでもよい。より具体的には、第１扉体２は、第２扉体３に対する第１扉体２の回動範囲（角度）を規制する回動角度規制手段を備えていてもよく、回動規制手段としては、第２扉体３が所定角度まで回動した時に、第２扉体３の部分が当接する当接部（目板部５５の部分や別に設けた当接部）を例示することができる。開口部全閉状態で圧力が高い側に扉を開放する場合に、扉の開放初動時に、第１扉体が第２扉体に対して所定角度回動して第１空間と第２空間を連通した後に、第１扉体と第２扉体が一体（第２扉体３に対して第１扉体２が所定角度を保った状態）で回動して建物開口部を開放する。なお、本実施形態では、火災時等の非常時に生成される信号に基づいて連結装置のロック状態が解除されて、第２扉体に対する第１扉体の回動を許容し、開口部全閉姿勢からの扉の開放初動時に、扉開放の抵抗となる差圧が発生している場合に、第１扉体のみが回動可能となっているが、扉開放の抵抗となる差圧が実質的に発生していない場合に、開口部全閉姿勢からの扉の開放初動時に第１扉体のみが回動してもよい。
【００７７】
［Ｅ］ドア形状の変形例
本実施形態について、図１、図２に示す第１扉体２、第２扉体３に基づいて説明したが、第１扉体２は戸先側がドア枠１の戸先側縦枠１０に係脱可能であり、第２扉体３は戸尻側がドア枠の戸尻側部位に回動可能に装着されており、第１扉体２が第２扉体３に対して回動可能に装着されていれば、第１扉体２、第２扉体３の形状は図１、図２に示す形状に限定されない。
【００７８】
図１０を参照しつつ、第１扉体２、第２扉体３の第１変形例について説明する。第１扉体２は、上端面及び下端面が段部状である点を除いて正面視概ね縦長方形状を有し、第１空間に面する第１見付面２０、第２空間に面する第２見付面（図示せず）、戸先側端面２２、戸尻側端面２３（戸先側端面２２よりも高さ寸法が小さい）を備えている。第１扉体２の上端面は、段差状の戸先側上端面２４０及び戸尻側上端面２４１、戸先側上端面２４０の戸尻側端部と戸尻側上端面２４１の戸先側端部とを接続する上側垂直面２４２から形成され、下端面は、段差状の戸先側下端面２５０及び戸尻側下端面２５１、戸先側下端面２５０の戸尻側端部と戸尻側下端面２５１の戸先側端部とを接続する下側垂直面２５２から形成されている。
【００７９】
第２扉体３は、正面視において、上側部位３Ａ´、下側部位３Ｂ´、戸尻側部位３Ｃ´からコ字形状を有しており、第１空間に面する第１見付面３０、第２空間に面する第２見付面（図示せず）を備えている。上側部位３Ａ´は戸先側端面３２、上端面３３を備え、上側部位３Ａ´の下端面は、段差状の戸先側下端面３４０及び戸尻側下端面３４１、戸先側下端面３４０の戸尻側端部と戸尻側下端面３４１の戸先側端部とを接続する上側垂直面３４２から形成されている。下側部位３Ｂ´は戸先側端面３５、下端面３６を備え、下側部位３Ｂ´の上端面は、段差状の戸先側上端面３７０及び戸尻側上端面３７１、戸先側上端面３７０の戸尻側端部と戸尻側上端面３７１の戸先側端部とを接続する下側垂直面３７２から形成されている。戸尻側部位３Ｃ´は、戸尻側端面３８、戸尻側部位の戸先側端面３９を備えている。
【００８０】
第２扉体３の戸尻側部位は、ドア枠１の戸尻側部位に丁番１４によって回動可能に装着されている。第２扉体３は、閉鎖方向に付勢されている。第２扉体３において、上側部位３Ａ´の下端面、下側部位３Ｂ´の上端面、戸尻側部位３Ｃ´の戸先側端面３９から正面視概ね長方形状の開口が形成されている。第１扉体２は、第２扉体３に形成された開口に嵌まる形状・寸法を備えており、第２扉体３の開口を開閉可能なように第２扉体３に回動可能に装着されており、第１扉体２が第２扉体３に対して閉鎖姿勢となることで、第１扉体２と第２扉体３が一体となって１枚の扉を形成するようになっている。
【００８１】
第１扉体２が第２扉体３に対して閉鎖姿勢にある時には、第１扉体２の周面（戸尻側端面２３、上端面、下端面）と開口の周面（第２扉体３の戸尻側部位３Ｃ´の戸先側端面３９、第２扉体３の上側部位３Ａ´の下端面、第２扉体３の下端部位３Ｂ´の上端面）は、それぞれ、近接対向している。ドア装置は、閉鎖姿勢にある第１扉体２と第２扉体３を連結するための連結装置を備えており、例えば、これらの近接対向する部位を利用して、連結装置の第１要素、第２要素を設けることができる。連結装置の具体的な構成については、既述の記載を援用することができる。
【００８２】
第１扉体２の第１見付面２０及び第２見付面の戸先側部位には、高さ方向の中間部位に位置して設けたハンドルＨの操作によって、係止姿勢にあるラッチ（図示せず）を退避姿勢とすることで、第１扉体２の戸先側の係止状態が解除され、第１扉体２の開放が可能となる。第１扉体２の上端面、下端面の幅方向中央部位には、第１扉体２の回動支軸Ｐを提供するピボットヒンジ（図示せず）が設けてあり、第２扉体２は、上下のピボットヒンジによって第２扉体３の上側部位３Ａ´の下端面、下側部位３Ｂ´の上端面に対して回動可能に装着されている。第１扉体２は第２扉体３に対する閉鎖姿勢を維持する方向（閉鎖方向）に付勢されている。ドア装置は気密構造を備えており、気密構造の構成については、既述の記載を参照することができる。
【００８３】
図１１を参照しつつ、第１扉体２、第２扉体３の第２変形例について説明する。第１扉体２は、上端面及び下端面が段部状である点を除いて正面視概ね縦長方形状を有し、第１空間に面する第１見付面２０、第２空間に面する第２見付面（図示せず）、戸先側端面２２、戸尻側端面２３（戸先側端面２２よりも高さ寸法が小さい）を備えている。第１扉体２の上端面は、段差状の戸先側上端面２４０´及び戸尻側上端面２４１´、戸先側上端面２４０´の戸尻側端部と戸尻側上端面２４１´の戸先側端部とを接続する上側垂直面２４２´から形成され、下端面は、段差状の戸先側下端面２５０´及び戸尻側下端面２５１´、戸先側下端面２５０´の戸尻側端部と戸尻側下端面２５１´の戸先側端部とを接続する下側垂直面２５２´から形成されている。
【００８４】
第２扉体３は、正面視において、上側突出部３Ａ´´、下側突出部３Ｂ´´、本体部３Ｃ´´からコ字形状を有しており、第１空間に面する第１見付面３０、第２空間に面する第２見付面（図示せず）を備えている。第２扉体３は、上端面３３´、下端面３６´、戸尻側端面３８を備え、戸先側部位は、上側突出部３Ａ´´の戸先側端面３２´、上側突出部３Ａ´´の下端面３４´、下側突出部３Ｂ´´の戸先側端面３５´、下側突出部３Ｂ´´の上端面３７´、本体部３Ｃ´´の戸先側端面３９を備えている。
【００８５】
第２扉体３の戸尻側部位は、ドア枠１の戸尻側部位に丁番１４によって回動可能に装着されている。第２扉体３は、閉鎖方向に付勢されている。第１扉体２の戸尻側部位は、第２扉体３の戸先側部位に嵌まる形状・寸法を備えており、第１扉体２が第２扉体３に対して閉鎖姿勢となることで、第１扉体２と第２扉体３が一体となって一枚の扉を形成するようになっている。
【００８６】
第１扉体２が第２扉体３に対して閉鎖姿勢にある時には、第１扉体２の戸尻側部位（上側垂直面２４２´、戸尻側上端面２４１´、下側垂直面２５２´、戸尻側下端面２５１´、戸尻側端面２３）と第２扉体３の戸先側部位（上側突出部３Ａ´´の戸先側端面３２´、下端面３４´、下側突出部３Ｂ´´の戸先側端面３５´上端面３７´、本体部３Ｃ´´の戸先側端面３９）は、それぞれ、近接対向している。ドア装置は、閉鎖姿勢にある第１扉体２と第２扉体３を連結するための連結装置を備えており、例えば、これらの近接対向する部位を利用して、連結装置の第１要素、第２要素を設けることができる。連結装置の具体的な構成については、既述の記載を援用することができる。
【００８７】
第１扉体２の第１見付面２０及び第２見付面の戸先側部位には、高さ方向の中間部位に位置して設けたハンドルＨの操作によって、係止姿勢にあるラッチ（図示せず）を退避姿勢とすることで、第１扉体２の戸先側の係止状態が解除され、第１扉体２の開放が可能となる。第１扉体２の上端面、下端面の幅方向中央部位には、第１扉体２の回動支軸Ｐを提供するピボットヒンジ（図示せず）が設けてあり、第１扉体２は、上下のピボットヒンジによって第２扉体３の上側突出部３Ａ´´の下端面３４´、下側突出部３Ｂ´´の上端面３７´に対して回動可能に装着されている。第１扉体２は第２扉体３に対する閉鎖姿勢を維持する方向（閉鎖方向）に付勢されている。ドア装置は気密構造を備えており、気密構造の構成については、既述の記載を参照することができる。
【符号の説明】
【００８８】
１  ドア枠
２  第１扉体
３  第２扉体
４  開口
６  ラッチ錠
７  電気ストライク
６´  モータ錠
７´  ストライク
１６  電磁式ロック（電磁石）
１７  ストライクプレート（磁性体）
Ｐ  回動支軸
【図１】
2020070542.tif 000003
【図２】
2020070542.tif 000004
【図３】
2020070542.tif 000005
【図４】
2020070542.tif 000006
【図５】
2020070542.tif 000007
【図６】
2020070542.tif 000008
【図７】
2020070542.tif 000009
【図８】
2020070542.tif 000010
【図９】
2020070542.tif 000011
【図１０】
2020070542.tif 000012
【図１１】
2020070542.tif 000013
【図１２】
2020070542.tif 000014
【図１３】
2020070542.tif 000015